(57)【要約】【課題】機械内部に付着した金属粉を容易に引き剥がし、微細な金属粉でもフィルターに捕捉しやすくする効果を有する、機械内部用洗浄油組成物を提供すること。【解決手段】鉱油および合成油から選ばれる少なくとも１種の基油と、組成物全量基準で０．１〜５０質量％のアゾール化合物と、を含有する洗浄油組成物。【選択図】なし【特許請求の範囲】
【請求項１】
鉱油および合成油から選ばれる少なくとも１種の基油と、組成物全量基準で０．１〜５０質量％のアゾール化合物と、を含有する洗浄油組成物。
【請求項２】
前記基油としてアルコールおよび／またはエステルを組成物全量基準で３０質量％未満含有し、前記アゾール化合物の含有量が組成物全量基準で０．１〜１０質量％である、請求項１に記載の洗浄油組成物。
【請求項３】
前記基油としてアルコールおよび／またはエステルを組成物全量基準で３０質量％以上含有し、前記アゾール化合物の含有量が組成物全量基準で１０〜５０質量％である、請求項１に記載の洗浄油組成物。
【発明の詳細な説明】
【技術分野】
【０００１】
本発明は、洗浄油組成物に関し、詳しくは、機械内部や配管内の金属粉、スラッジなどを洗浄する際に好適な洗浄油組成物に関し、更に詳しくは、圧延機、プレス装置、工作機械、油圧機器、圧縮機、熱媒体装置、軸受、ギヤボックス、熱処理炉、エンジンなどの内部の洗浄に好適な洗浄油組成物に関する。
【背景技術】
【０００２】
多くの機械は様々な工程を経て製造される。その工程の中には金属を切ったり削ったり曲げたりするものが含まれ、それらにより金属の摩耗粉が発生し付着する。金属粉が残存したまま機械が使用されると、例えば機械内部で使用される潤滑油などに金属粉が取り込まれる。そして、金属粉が機械の稼動部に移動すると、噛みこみ等の不具合を生じたり、また、その機械で製造される製品に金属分が付着し、傷などを生じたりする原因となる。
【０００３】
そのため、機械を構成する各部品は、製造された後に洗浄され、金属粉などは除去されることが多い。しかし、それでもそれらの部品を機械全体に組み込む際には、ねじ止め、溶接などの工程があり、それらの工程でも金属粉が発生してしまう。なお、一つ一つの部品の組み込みで発生する金属粉は微量であっても、多くの部品からなる機械の場合は、各部品からの金属粉が油剤などで運ばれて一箇所に集中すれば、不具合を生じるに十分な量となる。
【０００４】
したがって、そのような不具合が予想される場合は完成後の機械に潤滑油を給油する前に、給油する潤滑油と類似の油剤で洗浄を行うことが多い（いわゆるフラッシング、共洗いなどという）。しかし、配管内部などにこびりついたような金属粉を完全に除去することは難しい。
【０００５】
一方、稼動している機械でも金属粉の混入は問題となる。例えば、機械内部の可動部では絶えず金属同士の摩擦が生じており、これにより金属は摩耗し金属粉の混入となる。これは自動車のエンジンオイルなどの身近な例などでも明らかである。さらにその機械が金属加工に用いられるような場合は、加工される金属から発生する摩耗粉は非常に大量であり、これらを効率よく処理しなくては機械の稼動に支障が生じる。
【０００６】
そのため、潤滑油が流れる経路にフィルターを設置し金属粉を捕捉する、といった対策が執られることが多い。ただし、この方法ではフィルターで捕捉されないような細かい、なかば油中に溶解したような金属粉には効果がなく、微細な金属粉が油中に堆積してしまう結果となる。微細な摩耗粉は表面積が大きいため、機械の不具合のみならず潤滑油の黒化の原因となったり潤滑油中の添加剤と反応し汚れの原因となったりする。
【０００７】
以上のように、機械の稼動前、稼動後を問わず有害な金属粉などの洗浄・除去方法が求められている。
【先行技術文献】
【特許文献】
【０００８】
【特許文献１】特開平３−６８６９１号公報
【特許文献２】特開平３−６８６９２号公報
【特許文献３】特開２０００−２６５１８８号公報
【発明の概要】
【発明が解決しようとする課題】
【０００９】
本発明は、上記観点からなされたもので、機械内部に付着した金属粉を容易に引き剥がし、微細な金属粉でもフィルターに捕捉しやすくする効果を有する、機械内部用洗浄油組成物を提供することを目的とするものである。
【課題を解決するための手段】
【００１０】
本発明は、上記の課題を解決するために、鉱油および合成油から選ばれる少なくとも１種の基油と、組成物全量基準で０．１〜５０質量％のアゾール化合物と、を含有する洗浄油組成物を提供する。
【００１１】
本発明の洗浄油組成物が基油としてアルコールおよび／またはエステルを組成物全量基準で３０質量％未満含有する場合、アゾール化合物の含有量は組成物全量基準で０．１〜１０質量％であることが好ましい。
【００１２】
また、本発明の洗浄油組成物が基油としてアルコールおよび／またはエステルを組成物全量基準で３０質量％以上含有する場合、アゾール化合物の含有量は組成物全量基準で１０〜５０質量％であることが好ましい。
【発明の効果】
【００１３】
本発明によれば、機械内部に付着した金属粉を容易に引き剥がし、微細な金属粉でもフィルターの捕捉性に優れる機械内部用洗浄油組成物を提供することが可能となる。
【発明を実施するための形態】
【００１４】
以下、本発明の好適な実施形態について詳細に説明する。
【００１５】
本発明の実施形態に係る洗浄油組成物は、鉱油および合成油から選ばれる少なくとも１種の基油と、組成物全量基準で０．１〜５０質量％のアゾール化合物と、を含有する。
【００１６】
本実施形態においては、洗浄油組成物の基油として、鉱油および合成油から選ばれる少なくとも１種が用いられる。
【００１７】
鉱油としては、例えば、原油を常圧蒸留および減圧蒸留して得られた潤滑油留分を、溶剤脱れき、溶剤抽出、水素化分解、溶剤脱ろう、接触脱ろう、水素化精製、硫酸洗浄、白土処理等の精製処理を適宜組み合わせて精製した、パラフィン系鉱油、ナフテン系鉱油などの鉱油が使用できる。特に、多環芳香族炭化水素（ＰＣＡ）含量がＤＭＳＯ抽出物として３質量％未満のパラフィン系鉱油およびナフテン系鉱油を用いるのが好ましい。
【００１８】
基油として鉱油を用いる場合、通常、付着した金属粉を溶解させるには芳香族分の多い鉱油を用いることが有利となるが、溶解させた後の金属粉粒子が過剰に微細になるおそれがある。そのため、特に４０℃における動粘度が６ｍｍ２／ｓ以下の鉱油を用いる場合には、鉱油中の芳香族分が、３容量％以下であることが好ましく、２容量％以下であることがより好ましく、１容量％以下であることが最も好ましい。また、鉱油のナフテン分は、３０容量％以上であることが好ましく、３５容量％以上であることがより好ましく、４０容量％以上であることが最も好ましい。
【００１９】
合成油としては、例えば、アルコール、エステル、ポリオキシアルキレングリコール、ポリフェニルエーテル、ポリαーオレフィン（ポリブテン、１−オクテンオリゴマー、１−デセンオリゴマーなど）、ポリブテン、ポリイソブチレン、アルキルベンゼン、アルキルナフタレン、などが使用できる。
【００２０】
アルコールは、１価アルコールでも多価アルコールでも、飽和であっても不飽和であっても、これらの混合物であっても、直鎖であっても分岐であっても、これらの混合物であってもよい。より高い洗浄性が得られる点から、炭素数１〜２４の１価アルコールが好ましく、更に好ましくは炭素数１〜２２の１価アルコールであり、最も好ましくは炭素数８〜２０の１価アルコールである。また、それらの中でも洗浄性の観点から分岐鎖状脂肪族アルコールが好ましい。
【００２１】
炭素数１〜２４の１価アルコールとしては、具体的には例えば、メタノール、エタノール、直鎖状または分岐状のプロパノール、直鎖状または分岐状のブタノール、直鎖状または分岐状のペンタノール、直鎖状または分岐状のヘキサノール、直鎖状または分岐状のヘプタノール、直鎖状または分岐状のオクタノール、直鎖状または分岐状のノナノール、直鎖状または分岐状のデカノール、直鎖状または分岐状のウンデカノール、直鎖状または分岐状のドデカノール、直鎖状または分岐状のトリデカノール、直鎖状または分岐状のテトラデカノール、直鎖状または分岐状のペンタデカノール、直鎖状または分岐状のヘキサデカノール、直鎖状または分岐状のヘプタデカノール、直鎖状または分岐状のオクタデカノール、直鎖状または分岐状のノナデカノール、直鎖状または分岐状のイコサノール、直鎖状または分岐状のヘンイコサノール、直鎖状または分岐状のトリコサノール、直鎖状または分岐状のテトラコサノールおよびこれらの混合物等が挙げられる。
【００２２】
これらの中でも分岐状のオクタノールである２−エチルヘキシルアルコール、直鎖状、分岐状のドデカノール、ウンデカノール、ドデカノール、トリデカノール、テトラデカノール、ペンタデカノール、ヘキサデカノール、オクタデカノール、および不飽和のオクタデセルアルコール（オレイルアルコール）が好ましく、２−エチルヘキシルアルコール、直鎖状、分岐状のドデカノール、オクタデカノール、および不飽和のオクタデセルアルコール（オレイルアルコール）がより好ましく、分岐状のドデカノール、トリデカノール、テトラデカノール、ペンタデカノール、およびこれらの混合物が最も好ましい。
【００２３】
多価アルコールとしては、通常２〜１０価、好ましくは２〜６価のアルコールが用いられる。２〜１０価の多価アルコールとしては、具体的には例えば、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン等）、トリメチロールアルカン（トリメチロールエタン、トリメチロールプロパン、トリメチロールブタン等）およびこれらの２〜８量体、ペンタエリスリトールおよびこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；キシロース、アラビノース、リボース、ラムノース、グルコース、フルクトース、ガラクトース、マンノース、ソルボース、セロビオース、マルトース、イソマルトース、トレハロース、スクロース等の糖類、およびこれらの混合物等が挙げられる。
【００２４】
上記の多価アルコールの中でも、エチレングリコール、ジエチレングリコール、ポリエチレングリコール（エチレングリコールの３〜１０量体）、プロピレングリコール、ジプロピレングリコール、ポリプロピレングリコール（プロピレングリコールの３〜１０量体）、１，３−プロパンジオール、２−メチル−１，２−プロパンジオール、２−メチル−１，３−プロパンジオール、ネオペンチルグリコール、グリセリン、ジグリセリン、トリグリセリン、トリメチロールアルカン（トリメチロールエタン、トリメチロールプロパン、トリメチロールブタン等）およびこれらの２〜４量体、ペンタエリスリトール、ジペンタエリスリトール、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の２〜６価の多価アルコールおよびこれらの混合物等が好ましい。さらに好ましくは、エチレングリコール、プロピレングリコール、ネオペンチルグリコール、グリセリン、トリメチロールエタン、トリメチロールプロパン、ペンタエリスリトール、ソルビタン、およびこれらの混合物等である。これらの中でも、より高い洗浄性が得られることから、ネオペンチルグリコール、トリメチロールエタン、トリメチロールプロパン、ペンタエリスリトール、およびこれらの混合物等が最も好ましい。
【００２５】
エステルとしては、脂肪酸エステルおよびリン酸エステル系化合物が好ましい。
【００２６】
脂肪酸エステルとしては、上記の１価アルコールと脂肪酸とのエステルが好ましい。脂肪酸エステルを構成する１価アルコールの好ましい炭素数は、１以上１２以下が好ましく、１以上１０以下がより好ましく、１以上８以下が最も好ましい。１価アルコールは、直鎖であっても分岐であっても良く、飽和でも不飽和でも、それらの混合物であっても良いが、直鎖の飽和１価アルコールが好ましい。
【００２７】
脂肪酸エステルを構成する脂肪酸としては、炭素数６〜２４を有する直鎖または分岐の脂肪酸が挙げられ、飽和脂肪酸、不飽和脂肪酸またはこれらの混合物であってもよい。
【００２８】
飽和脂肪酸としては、直鎖または分岐のへキサン酸、直鎖または分岐のオクタン酸、直鎖または分岐のノナン酸、直鎖または分岐のデカン酸、直鎖または分岐のウンデカン酸、直鎖または分岐のドデカン酸、直鎖または分岐のトリデカン酸、直鎖または分岐のテトラデカン酸、直鎖または分岐のペンタデカン酸、直鎖または分岐のヘキサデカン酸、直鎖または分岐のオクタデカン酸、直鎖または分岐のヒドロキシオクタデカン酸、直鎖または分岐のノナデカン酸、直鎖または分岐のエイコサン酸、直鎖または分岐のヘンエイコサン酸、直鎖または分岐のドコサン酸、直鎖または分岐のトリコサン酸、直鎖または分岐のテトラコサン酸等が挙げられる。
【００２９】
不飽和脂肪酸としては、直鎖または分岐のヘキセン酸、直鎖または分岐のヘプテン酸、直鎖または分岐のオクテン酸、直鎖または分岐のノネン酸、直鎖または分岐のデセン酸、直鎖または分岐のウンデセン酸、直鎖または分岐のドデセン酸、直鎖または分岐のトリデセン酸、直鎖または分岐のテトラデセン酸、直鎖または分岐のペンタデセン酸、直鎖または分岐のヘキサデセン酸、直鎖または分岐のオクタデセン酸、直鎖または分岐のヒドロキシオクタデセン酸、直鎖または分岐のノナデセン酸、直鎖または分岐のエイコセン酸、直鎖または分岐のヘンエイコセン酸、直鎖または分岐のドコセン酸、直鎖または分岐のトリコセン酸、直鎖または分岐のテトラコセン酸等が挙げられる。これらの中では、特に炭素数８〜２０の飽和脂肪酸、炭素数８〜２０の不飽和脂肪酸およびこれらの混合物が好ましい。
【００３０】
脂肪酸としては分岐のオクタン酸である２エチルヘキシル酸、直鎖のドデカン酸、テトラデカン酸、ヘキサデカン酸、オクタデカン酸、分岐のオクタデセン酸（オレイン酸）が好ましく、２エチルヘキシル酸、直鎖のドデカン酸、オクタデカン酸、分岐のオクタデセン酸（オレイン酸）がより好ましい。
【００３１】
脂肪酸エステルを構成する脂肪酸としては、より高い洗浄性が得られる点から、炭素数６〜２４の脂肪酸が好ましく、更に好ましくは炭素数７〜２０の脂肪酸であり、最も好ましくは炭素数８〜１８の脂肪酸である。
【００３２】
ここでいうリン酸エステル系化合物には、下記の一般式（１）で表されるリン酸エステルおよびそのアミン塩、下記の一般式（２）で表される亜リン酸エステルおよびそのアミン塩が含まれる。
【化１】
2014047330.tif 000002
［一般式（１）中、Ｒ１、Ｒ２およびＲ３は個別に水素または炭素数１〜２４の炭化水素基を示し、Ｒ１、Ｒ２またはＲ３の少なくとも１つは炭素数１〜２４の炭化水素基である。］
【化２】
2014047330.tif 000003
［一般式（２）中、Ｒ４、Ｒ５およびＲ６は個別に水素または炭素数１〜２４の炭化水素基を示し、Ｒ４、Ｒ５またはＲ６の少なくとも１つは炭素数１〜２４の炭化水素基である。］
【００３３】
一般式（１）で表されるリン酸エステルのアミン塩とは、Ｒ１〜Ｒ３の何れか１つが炭化水素基であり、残りの２つが水素であるモノエステルまたはＲ１〜Ｒ３の何れか２つが炭化水素基であり、残りの１つが水素であるジエステル、すなわち、アシッドホスフェート（酸性リン酸エステル）のアミン塩を意味し、同様にして、一般式（２）で表される亜リン酸エステルのアミン塩とは、Ｒ４〜Ｒ６の何れか１つが炭化水素基であり、残りの２つが水素であるモノエステルまたはＲ４〜Ｒ６の何れか２つが炭化水素基であり、残りの１つが水素であるジエステル、すなわち、ハイドロジェンホスファイト（水素亜リン酸エステル）のアミン塩を意味する。
【００３４】
一般式（１）および（２）において、その炭化水素基には、炭素数１〜２４の直鎖状または分岐状のアルキル基、炭素数３〜２４の直鎖状または分岐状のアルケニル基、炭素数５〜１３のシクロアルキル基またはアルキルシクロアルキル基、炭素数６〜１８のアリール基または直鎖状もしくは分岐状のアルキルアリール基、炭素数７〜１９のアリールアルキル基などが包含される。そして、アルキル基としては、メチル基、エチル基、ｎ−プロピル基、イソプロピル基、ｎ−ブチル基、イソブチル基、ｓｅｃ−ブチル基、ｔｅｒｔ−ブチル基、直鎖または分岐ペンチル基、直鎖または分岐ヘキシル基、直鎖または分岐ヘプチル基、直鎖または分岐オクチル基、直鎖または分岐ノニル基、直鎖または分岐デシル基、直鎖または分岐ウンデシル基、直鎖または分岐ドデシ基、直鎖または分岐トリデシル基、直鎖または分岐テトラデシル基、直鎖または分岐ペンタデシル基、直鎖または分岐ヘキサデシル基、直鎖または分岐ヘプタデシル基、直鎖または分岐オクタデシル基、直鎖または分岐ノナデシル基、直鎖または分岐イコシル基、直鎖または分岐ヘンイコシル基、直鎖または分岐ドコシル基、直鎖または分岐トリコシル基、直鎖または分岐テトラコシル基などが好ましい。アルケニル基としては、プロペニル基、イソプロペニル基、直鎖または分岐ブテニル基、ブタジエニル基、直鎖または分岐ペンテニル基、直鎖または分岐ヘキセニル基、直鎖または分岐ヘプテニル基、直鎖または分岐オクテニル基、直鎖または分岐ノネニル基、直鎖または分岐デセニル基、直鎖または分岐ウンデセニル基、直鎖または分岐ドデセニル基、直鎖または分岐トリデセニル基、直鎖または分岐テトラデセニル基、直鎖または分岐ペンタデセニル基、直鎖または分岐ヘキサデセニル基、直鎖または分岐ヘプタデセニル基、オレイル基などの直鎖または分岐オクタデセニル基、直鎖または分岐ノナデセニル基、直鎖または分岐イコセニル基、直鎖または分岐ヘンイコセニル基、直鎖または分岐ドコセニル基、直鎖または分岐トリコセニル基、直鎖または分岐テトラコセニル基などが好ましい。シクロアルキル基としては、シクロペンチル基、シクロヘキシル基、シクロヘプチル基などが好ましく、アルキルシクロアルキル基としては、メチルシクロペンチル基、ジメチルシクロペンチル基（すべての置換異性体を含む）、エチルシクロペンチル基（すべての置換異性体を含む）、直鎖または分岐プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分岐プロピルメチルシクロペンチル基（すべての置換異性体を含む）、直鎖または分岐プロピルエチルシクロペンチル基（すべての置換異性体を含む）、ジ−直鎖または分岐プロピルシクロペンチル基（すべての置換異性体を含む）、直鎖または分岐プロピルエチルメチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分岐プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分岐プロピルメチルシクロヘキシル基（すべての置換異性体を含む）、直鎖または分岐プロピルエチルシクロヘキシル基（すべての置換異性体を含む）、ジ−直鎖または分岐プロピルシクロヘキシル基（すべての置換異性体を含む）、直鎖または分岐プロピルエチルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分岐プロピルシクロヘプチル基（すべての置換異性体を含む）、エチルメチルシクロヘプチル基（すべての置換異性体を含む）、トリメチルシクロヘプチル基（すべての置換異性体を含む）、ジエチルシクロヘプチル基（すべての置換異性体を含む）、エチルジメチルシクロヘプチル基（すべての置換異性体を含む）、直鎖または分岐プロピルメチルシクロヘプチル基（すべての置換異性体を含む）、直鎖または分岐プロピルエチルシクロヘプチル基（すべての置換異性体を含む）、ジ−直鎖または分岐プロピルシクロヘプチル基（すべての置換異性体を含む）、直鎖または分岐プロピルエチルメチルシクロヘプチル基（すべての置換異性体をむ）などのアルキルシクロアルキル基が好ましい。また、一般式（１）および（２）のアリール基としては、フェニル基、ナフチル基などが好ましく、同じくアルキルアリール基としては、トリル基（すべての置換異性体を含む）、キシリル基（すべての置換異性体を含む）、エチルフェニル基（すべての置換異性体を含む）、直鎖または分岐プロピルフェニル基（すべての置換異性体を含む）、エチルメチルフェニル基（すべての置換異性体を含む）、トリメチルフェニル基（すべての置換異性体を含む）、直鎖または分岐ブチルフェニル基（すべての置換異性体を含む）、直鎖または分岐プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）、直鎖または分岐ペンチルフェニル基（すべての置換異性体を含む）、直鎖または分岐ヘキシルフェニル基（すべての置換異性体を含む）、直鎖または分岐ヘプチルフェニル基（すべての置換異性体を含む）、直鎖または分岐オクチルフェニル基（すべての置換異性体を含む）、直鎖または分岐ノニルフェニル基（すべての置換異性体を含む）、直鎖または分岐デシルフェニル基（すべての置換異性体を含む）、直鎖または分岐ウンデシルフェニル基（すべての置換異性体を含む）、直鎖または分岐ドデシルフェニル基（すべての置換異性体を含む）などが好ましい。そして、アリールアルキル基としては、ベンジル基、メチルベンジル基（すべての置換異性体を含む）、ジメチルベンジル基（すべての置換異性体を含む）、フェネチル基、メチルフェネチル基（すべての置換異性体を含む）、ジメチルフェネチル基（すべての置換異性体を含む）などが好ましい。Ｒ１〜Ｒ３またはＲ４〜Ｒ６がとり得る上記各炭化水素基の中でも、その炭化水素基が直鎖状もしくは分岐状の炭素数４〜１８のアルキル基またはアルケニル基、炭素数６〜１２のアリール基または直鎖状もしくは分岐状のアルキルアリール基である場合がより一層好ましく、特に、炭素数４〜１８の直鎖状もしくは分岐状のアルキル基、オレイル基、フェニル基、または炭素数７〜９の直鎖もしくは分岐アルキルアリール基である場合が最も好ましい。
【００３５】
一般式（１）で表されるリン酸エステルの好ましい具体例を例示すれば、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、キシレニルジフェニルホスフェートなどのトリホスフェート（リン酸トリエステル）；モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェートなどのアシッドホスフェート（酸性リン酸エステル）；およびこれらの混合物；などが例示できる。
【００３６】
一般式（２）で表される亜リン酸エステルの好ましき具体例を例示すると、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリトリデシルホスファイト、トリテトラデシルホスファイト、トリペンタデシルホスファイト、トリヘキサデシルホスファイト、トリヘプタデシルホスファイト、トリオクタデシルホスファイト、トリオレイルホスファイト、トリフェニルホスファイト、トリクレジルホスファイト、トリキシレニルホスファイト、クレジルジフェニルホスファイト、キシレニルジフェニルホスファイトなどのトリホスファイト（亜リン酸トリエステル）；モノブチルハイドロジェンホスファイト、モノペンチルハイドロジェンホスファイト、モノヘキシルハイドロジェンホスファイト、モノヘプチルハイドロジェンホスファイト、モノオクチルハイドロジェンホスファイト、モノノニルハイドロジェンホスファイト、モノデシルハイドロジェンホスファイト、モノウンデシルハイドロジェンホスファイト、モノドデシルハイドロジェンホスファイト、モノトリデシルハイドロジェンホスファイト、モノテトラデシルハイドロジェンホスファイト、モノペンタデシルハイドロジェンホスファイト、モノヘキサデシルハイドロジェンホスファイト、モノヘプタデシルハイドロジェンホスファイト、モノオクタデシルハイドロジェンホスファイト、モノオレイルハイドロジェンホスファイト、ジブチルハイドロジェンホスファイト、ジペンチルハイドロジェンホスファイト、ジヘキシルハイドロジェンホスファイト、ジヘプチルハイドロジェンホスファイト、ジオクチルハイドロジェンホスファイト、ジノニルハイドロジェンホスファイト、ジデシルハイドロジェンホスファイト、ジウンデシルハイドロジェンホスファイト、ジドデシルハイドロジェンホスファイト、ジトリデシルハイドロジェンホスファイト、ジテトラデシルハイドロジェンホスファイト、ジペンタデシルハイドロジェンホスファイト、ジヘキサデシルハイドロジェンホスファイト、ジヘプタデシルハイドロジェンホスファイト、ジオクタデシルハイドロジェンホスファイト、ジオレイルハイドロジェンホスファイトなどのハイドロジェンホスファイト（水素亜リン酸エステル）；およびこれらの混合物；などが例示できる。
【００３７】
先に述べたように、リン酸エステル系化合物としては、アシッドホスフェート（酸性リン酸エステル）のアミン塩やハイドロジェンホスファイト（水素亜リン酸エステル）のアミン塩も使用可能である。これらのアミン塩には、アシッドホルフェートまたはハイドロジェンホスファイトに残存する酸性水素の一部または全部を、炭素数１〜２４、好ましくは炭素数１〜１８のアルキル基、アルケニル基もしくはアルカノール基を分子中に含有するアミン化合物で中和した塩が包含される。このアミン化合物として好ましいものを具体的に示せば、モノメチルアミン、モノエチルアミン、モノプロピルアミン、モノブチルアミン、モノペンチルアミン、モノヘキシルアミン、モノヘプチルアミン、モノオクチルアミン、モノノニルアミン、モノデシルアミン、モノウンデシルアミン、モノドデシルアミン、モノトリデシルアミン、モノテトラデシルアミン、モノペンタデシルアミン、モノヘキサデシルアミン、モノヘプタデシルアミン、モノオクタデシルアミン、モノノナデシルアミン、モノイコシルアミン、モノヘンイコシルアミン、モノヘンイコシルアミン、モノトリコシルアミン、モノテトラコシルアミン、ジメチルアミン、メチルエチルアミン、ジエチルアミン、メチルプロピルアミン、エチルプロピルアミン、ジプロピルアミン、メチルブチルアミン、エチルブチルアミン、プロピルブチルアミン、ジブチルアミン、ジペンチルアミン、ジヘキシルアミン、ジヘプチルアミン、ジオクチルアミン、ジノニルアミン、ジデシルアミン、ジウンデシルアミン、ジドデシルアミン、ジトリデシルアミン、ジテトラデシルアミン、ジペンタデシルアミン、ジヘキサデシルアミン、ジヘプタデシルアミン、ジオクタデシルアミン、ジノナデシルアミン、ジイコシルアミン、ジヘンイコシルアミン、ジヘンイコシルアミン、ジトリコシルアミン、ジテトラコシルアミンなどのアルキルアミン（アルキル基は直鎖状でも分岐状でも良い）；モノブテニルアミン、モノペンテニルアミン、モノヘキセニルアミン、モノヘプテニルアミン、モノオクテニルアミン、モノノネニルアミン、モノデセニルアミン、モノウンデセニルアミン、モノドデセニルアミン、モノトリデセニルアミン、モノテトラデセニルアミン、モノペンタデセニルアミン、モノヘキサデセニルアミン、モノヘプタデセニルアミン、モノオクタデセニルアミン、モノノナデセニルアミン、モノイコセニルアミン、モノヘンイコセニルアミン、モノヘンイコセニルアミン、モノトリコセニルアミン、モノテトラコセニルアミン、ジブテニルアミン、ジペンテニルアミン、ジヘキセニルアミン、ジヘプテニルアミン、ジオクテニルアミン、ジノネニルアミン、ジデセニルアミン、ジウンデセニルアミン、ジドデセニルアミン、ジトリデセニルアミン、ジテトラデセニルアミン、ジペンタデセニルアミン、ジヘキサデセニルアミン、ジヘプタデセニルアミン、ジオクタデセニルアミン、ジノナデセニルアミン、ジイコセニルアミン、ジヘンイコセニルアミン、ジヘンイコセニルアミン、ジトリコセニルアミン、ジテトラコセニルアミンなどのアルケニルアミン（アルケニル基は直鎖状でも分岐状でも良い）；モノメタノールアミン、モノエタノールアミン、モノプロパノールアミン、モノブタノールアミン、モノペンタノールアミン、モノヘキサノールアミン、モノヘプタノールアミン、モノオクタノールアミン、モノノナノールアミン、モノデカノールアミン、モノウンデカノールアミン、モノドデカノールアミン、モノトリデカノールアミン、モノテトラデカノールアミン、モノペンタデカノールアミン、モノヘキサデカノールアミン、モノヘプタデカノールアミン、モノオクタデカノールアミン、モノノナデカノールアミン、モノイコサノールアミン、モノヘンイコサノールアミン、モノヘンイコサノールアミン、モノトリコサノールアミン、モノテトラコサノールアミン、ジメタノールアミン、メタノールエタノールアミン、ジエタノールアミン、メタノールプロパノールアミン、エタノールプロパノールアミン、ジプロパノールアミン、メタノールブタノールアミン、エタノールブタノールアミン、プロパノールブタノールアミン、ジブタノールアミン、ジペンタノールアミン、ジヘキサノールアミン、ジヘプタノールアミン、ジオクタノールアミン、ジノナノールアミン、ジデカノールアミン、ジウンデカノールアミン、ジドデカノールアミン、ジトリデカノールアミン、ジテトラデカノールアミン、ジペンタデカノールアミン、ジヘキサデカノールアミン、ジヘプタデカノールアミン、ジオクタデカノールアミン、ジノナデカノールアミン、ジイコサノールアミン、ジヘンイコサノールアミン、ジヘンイコサノールアミン、ジトリコサノールアミン、ジテトラコサノールアミンなどのアルカノールアミン（アルカノール基は直鎖状でも分岐状でも良い）；およびこれらの混合物；などが例示できるが、これらの中でも、炭素数１〜２４、好ましくは炭素数１〜１８、より好ましくは炭素数１〜８のアルキル基を分子中に含有するアルキルアミンが望ましい。
【００３８】
本実施形態に係る洗浄油組成物にアミン塩を使用する場合、そのアミン塩はアシッドホスフェート（酸性リン酸エステル）またはハイドロジェンホスファイト（水素亜リン酸エステル）と、メチルアミン、エチルアミン、プロピルアミン、ブチルアミン、ペンチルアミン、ヘキシルアミン、ヘプチルアミン、オクチルアミン、ジメチルアミン、ジエチルアミン、ジプロピルアミン、ジブチルアミン、ジペンチルアミン、ジヘキシルアミン、ジヘプチルアミン、ジオクチルアミン、トリメチルアミン、トリエチルアミン、トリプロピルアミン、トリブチルアミン、トリペンチルアミン、トリヘキシルアミン、トリヘプチルアミン、トリオクチルアミンなどのアミンとの塩であることが特に好ましい。本発明の洗浄油組成物に含有するリン酸エステル系化合物には、上述したリン酸エステル、亜リン酸エステルおよびアシッドホスフェート（酸性リン酸エステル）やハイドロジェンホスファイト（水素亜リン酸エステル）のアミン塩からなる群から選ばれる２種以上の化合物の任意割合での混合物を使用することもできる。
【００３９】
リン酸エステル系化合物の中でも、リン酸トリエステルが好ましく、トリクレジルホスフェートが最も好ましい。
【００４０】
上記アルコールおよびエステルの中では、分岐状の脂肪族アルコールが好ましく、具体的には分岐状のドデカノール、分岐状のトリデカノール、分岐状のテトラデカノール、分岐状のペンタデカノール、およびこれらの混合物が最も好ましい。
【００４１】
本実施形態において、基油の含有量は、組成物全量基準で３０質量％以上であり、４０質量％以上が好ましく、５０質量％以上がより好ましい。また、基油の含有量は、組成物全量基準で９９．９質量％以下であり、９７質量％以下が好ましく、９５質量％以下がより好ましい。
【００４２】
また、本実施形態に係る洗浄油組成物が基油としてアルコールおよび／またはエステルを組成物全量基準で３０質量％未満含有し、アゾール化合物を組成物全量基準で０．１〜１０質量％含有する場合、基油はアルコールおよび／またはエステルと他の基油との混合基油であってもよく、あるいはアルコールおよびエステルを含有しない基油であってもよい。この場合の基油の含有量（混合基油の場合は混合基油の含有量）は、組成物全量基準で９９．９質量％以下であり、９７質量％以下が好ましく、９５質量％以下が特に好ましい。
【００４３】
また、本実施形態に係る洗浄油組成物が基油としてアルコールおよび／またはエステルを組成物全量基準で３０質量％以上含有し、アゾール化合物を組成物全量基準で１０〜５０質量％含有する場合、基油はアルコールおよび／またはエステルのみからなるものであってもよく、あるいはアルコールおよび／またはエステルと他の基油（アルコールおよびエステル以外の合成油ならびに鉱油）との混合基油であってもよい。基油はアルコールおよび／またはエステルのみからなるものである場合、基油の含有量は、組成物全量で９０質量％以下であり、８７質量％以下が好ましく、８５質量％以下が最も好ましい。また、基油がアルコールおよび／またはエステルと他の基油との混合基油である場合は、他の基油の合計量は、アルコールとエステルの合計量の２０質量％以下が好ましく、１０質量％以下がより好ましい。
【００４４】
本実施形態において、基油の動粘度は特に制限されないが、基油の４０℃における動粘度は、０．８ｍｍ２／ｓ以上が好ましく、１．０ｍｍ２／ｓ以上がより好ましく、１．２ｍｍ２／ｓ以上が最も好ましい。また、基油の４０℃における動粘度は、５０ｍｍ２／ｓ以下が好ましく、４０ｍｍ２／ｓ以下がより好ましく、３０ｍｍ２／ｓ以下が最も好ましい。
【００４５】
また、基油としての鉱油は、１種を単独で使用してもよく、あるいは２種以上を組み合わせて使用しても良い。２種以上の鉱油を組み合わせる場合、４０℃における動粘度が６ｍｍ２／ｓ以下の鉱油と２０以上１００ｍｍ２／ｓ以下の鉱油を併用することが洗浄性の観点から好ましい。その場合は、４０℃における動粘度が２０以上１００ｍｍ２／ｓ以下の鉱油の割合が基油全量基準で５質量％以上、３０質量％以下が好ましい。
【００４６】
アゾール化合物は、下記の（ａ）〜（ｆ）から選ばれる化合物である。
【００４７】
（ａ）ベンゾトリアゾールまたはその誘導体
化合物（ａ）は、下記式（３）で表されるベンゾトリアゾールまたはその誘導体である。ベンゾトリアゾール誘導体には、下記一般式（４）で表されるアルキルベンゾトリアゾール、一般式（５）で表されるＮ−アルキルベンゾトリアゾールおよび下記一般式（６）で表されるＮ−（アルキル）アミノアルキルベンゾトリアゾールが包含される。
【化３】
2014047330.tif 000004
【化４】
2014047330.tif 000005
［一般式（４）中、Ｒ７は炭素数１〜４のアルキル基、ａは１〜３の整数を示す。］
【化５】
2014047330.tif 000006
［一般式（５）中、Ｒ８およびＲ９はそれぞれ炭素数１〜４のアルキル基を示し、それらはたがいに同一でも異なっていてもよく、ｂは０〜３の整数を示す。）
【化６】
2014047330.tif 000007
［一般式（６）中、Ｒ１０は炭素数１〜４のアルキル基を示し、Ｒ１１はメチレン基またはエチレン基を示し、Ｒ１２およびＲ１２はそれぞれ水素原子または炭素数１〜１２のアルキル基を示し、それらはたがいに同一でも異なっていてもよく、ｃは０〜３の整数を示す。］
【００４８】
一般式（４）におけるＲ７は炭素数１〜４、好ましくは炭素数１または２のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基を挙げることができる。ａは１〜３の整数、好ましくは１または２を示す。
【００４９】
一般式（５）におけるＲ８およびＲ９はそれぞれ炭素数１〜４、好ましくは炭素数１または２のアルキル基を示す。Ｒ８およびＲ９の具体例はＲ７の場合と同じである。ｂは０〜３の整数、好ましくは０または１である。
【００５０】
一般式（６）におけるＲ１０は炭素数１〜４、好ましくは炭素数１または２のアルキル基を示す。Ｒ１０の具体例はＲ７の場合と同じである。Ｒ１１はメチレン基またはエチレン基を示し、メチレン基が好ましい。Ｒ１２およびＲ１３はそれぞれ水素または炭素数１〜１２のアルキル基、好ましくは１〜９のアルキル基を示す。アルキル基として、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基を挙げることができる。ｃは０〜３の整数、好ましくは０または１である。以上述べたベンゾトリアゾールまたはその誘導体の中で、特にベンゾトリアゾール，Ｎ−メチルベンゾトリアゾールが好ましい。
【００５１】
（ｂ）ベンゾイミダゾールまたはその誘導体
化合物（ｂ）は下記式（７）で表されるベンゾイミダゾールまたはその誘導体である。ベンゾイミダゾール誘導体には下記一般式（８）で表されるアルキルベンゾイミダゾールおよび一般式（９）で表される２−（アルキルチオ）−ベンゾイミダゾールが包含される。
【化７】
2014047330.tif 000008
【化８】
2014047330.tif 000009
［一般式（８）中、Ｒ１４は炭素数１〜４のアルキル基を示し、ｄは１〜３の整数を示す。］
【化９】
2014047330.tif 000010
［一般式（９）中、Ｒ１５は炭素数１〜４のアルキル基を示し、Ｒ１６は炭素数１〜２０のアルキル基を示し、ｅは０〜３の整数を示し、ｆは１〜３の整数を示す。］
【００５２】
一般式（８）におけるＲ１４は炭素数１〜４、好ましくは炭素数１または２のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基を挙げることができる。ｄは１〜３の整数、好ましくは１または２を示す。
【００５３】
一般式（９）におけるＲ１５は炭素数１〜４、好ましくは炭素数１または２のアルキル基を示す。Ｒ１５の具体例はＲ１４の場合と同じである。Ｒ１６は炭素数１〜２０、好ましくは１〜１４のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基、トリデシル基、テトラデシル基、ペンタデシル基、ヘキサデシル基、ヘプタデシル基、オクタデシル基、ノナデシル基、エイコシル基を挙げることができる。ｅは０〜３の整数、好ましくは０または１である。ｆは１〜３の整数、好ましくは１または２である。以上述べたベンゾイミダゾールまたはその誘導体の中で、特に２−（ｎ−ドデシルジチオ）−ベンゾイミダゾール，２−（ｎ−デシルチオ）−ベンゾイミダゾールが好ましい。
【００５４】
（ｃ）ベンゾピラゾールまたはその誘導体
化合物（ｃ）は下記式（１０）で表されるベンゾピラゾールまたはその誘導体である。ベンゾピラゾール誘導体に下記一般式（１１）で表されるアルキルベンゾピラゾールが包含される。
【化１０】
2014047330.tif 000011
【化１１】
2014047330.tif 000012
［一般式（１１）中、Ｒ１７は炭素数１〜４のアルキル基を示し、ｇは１〜３の整数を示す。］
【００５５】
一般式（１１）におけるＲ１７は炭素数１〜４、好ましくは炭素数１または２のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基を挙げることができる。ｇは１〜３、好ましくは１または２の数を示す。以上述べたベンゾピラゾールまたはその誘導体の中で、特にベンゾピラゾールが好ましい。
【００５６】
（ｄ）ベンゾチアゾール誘導体
化合物（ｄ）はベンゾチアゾール誘導体である。ベンゾチアゾール誘導体には下記の一般式（１２）で表される２−（アルキルチオ）−ベンゾチアゾールおよび一般式（１３）で表される２−（Ｎ，Ｎ−ジアルキルジチオカルバミル）−ベンゾチアゾールが包含される。
【化１２】
2014047330.tif 000013
［一般式（１２）中、Ｒ１８は炭素数１〜４のアルキル基を示し、Ｒ１９は炭素数１〜２０のアルキル基を示し、ｈは０〜３の整数を示し、ｉは１〜３の整数を示す。］
【化１３】
2014047330.tif 000014
［一般式（１３）中、Ｒ２０は炭素数１〜４のアルキル基を示し、Ｒ２１およびＲ２２は同一でも異なっていてもよく、それぞれ炭素数１〜１２のアルキル基を示し、ｊは０〜３の整数を示す。］
【００５７】
一般式（１２）におけるＲ１８は炭素数１〜４、好ましくは炭素数１または２のアルキル基を示す。具体的には、メチル基、エチル基、ｎ−プロピル基、イソプロピル基、ｎ−ブチル基、イソブチル基、ｓｅｃ−ブチル基、ｔｅｒｔ−ブチル基を挙げることができる。Ｒ13 は炭素数１〜２０、好ましくは炭素数１〜１４のアルキル基を示す。具体的にはメチル基，エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基、トリデシル基、テトラデシル基、ペンタデシル基、ヘキサデシル基、ヘプタデシル基、オクタデシル基、ノナデシル基、エイコシル基を挙げることができる。ｈは０〜３の整数、好ましくは０または１である。ｉは１〜３の整数、好ましくは１または２である。
【００５８】
一般式（１３）におけるＲ２０は炭素数１〜４、好ましくは炭素数１または２のアルキル基を示す。具体的には、メチル基、エチル基、ｎ−プロピル基、イソプロピル基、ｎ−ブチル基、イソブチル基、ｓｅｃ−ブチル基、ｔｅｒｔ−ブチル基を挙げることができる。Ｒ２１およびＲ２２はそれぞれ炭素数１〜１２、好ましくは炭素数１〜９のアルキル基を示す。アルキル基として、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基を挙げることができる。ｊは０〜３の整数、好ましくは０または１である。以上述べたベンゾチアゾール誘導体の中で、特に２−（ｎ−ドデシルジチオ）−ベンゾチアゾール、２−（ｎ−デシルチオ）−ベンゾチアゾール；２−（Ｎ，Ｎ−ジエチルジチオカルバミル）−ベンゾチアゾールが好ましい。
【００５９】
（ｅ）ベンゾオキサゾール誘導体
化合物（ｅ）はベンゾオキサゾール誘導体である。ベンゾオキサゾール誘導体には下記の一般式（１４）で表される２−（アルキルチオ）−ベンゾオキサゾールが包含される。
【化１４】
2014047330.tif 000015
［一般式（１４）中、Ｒ２３は炭素数１〜４のアルキル基を示し、Ｒ２４は炭素数１〜２０のアルキル基を示し、ｋは０〜３の整数を示し、ｍは１〜３の整数を示す。］
【００６０】
一般式（１４）におけるＲ２３は炭素数１〜４、好ましくは炭素数１または２のアルキル基を示す。具体的には、メチル基、エチル基、ｎ−プロピル基、イソプロピル基、ｎ−ブチル基、イソブチル基、ｓｅｃ−ブチル基、ｔｅｒｔ−ブチル基を挙げることができる。Ｒ２４は炭素数１〜２０、好ましくは炭素数１〜１４のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基、トリデシル基、テトラデシル基、ペンタデシル基、ヘキサデシル基、ヘプタデシル基、オクタデシル基、ノナデシル基、エイコシル基を挙げることができる。ｋは０〜３の整数、好ましくは０または１である。ｍは１〜３の整数、好ましくは１または２である。以上述べたベンゾオキサゾール誘導体の中で、特に２−（ｎ−ドデシルジチオ）−ベンゾオキサゾール、２−（ｎ−デシルチオ）−ベンゾオキサゾールが好ましい。
【００６１】
（ｆ）チアジアゾール誘導体
化合物（ｆ）はチアジアゾ−ル誘導体である。チアジアゾール誘導体には下記の一般式（１５）で表される２，５−ビス（アルキルジチオ）−１，３，４−チアジアゾールおよび一般式（１６）で表される２，５−ビス（Ｎ，Ｎ−ジアルキルシチオカルバミル）−１，３，４−チアジアゾールが包含される。
【化１５】
2014047330.tif 000016
［一般式（１５）中、Ｒ２５は炭素数１〜２０のアルキル基を示し、ｎは１〜３の整数を示す。］
【化１６】
2014047330.tif 000017
［一般式（１６）中、Ｒ２６およびＲ２７は同一でも異なっていてもよく、それぞれ炭素数１〜１２のアルキル基を示す。］
【００６２】
一般式（１５）におけるＲ２５は炭素数１〜２０、好ましくは炭素数１〜１４のアルキル基を示す。具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基、トリデシル基、テトラデシル基、ペンタデシル基、ヘキサデシル基、ヘプタデシル基、オクタデシル基、ノナデシル基、エイコシル基を挙げることができる。ｎは１〜３の整数、好ましくは１または２である。
【００６３】
一般式（１６）におけるＲ２６およびＲ２７はそれぞれ炭素数１〜１２、好ましくは炭素数１〜９のアルキル基を示す。アルキル基として、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基、各種ノニル基、各種デシル基、各種ウンデシル基、各種ドデシル基を挙げることができる。以上述べたチアジアゾール誘導体のなかで、特に２，５−ビス（ｎ−ドデシルジチオ）−１，３，４−チアジアゾール、２，５−ビス（ｔｅｒｔ−オクチルジチオ）−１，３，４−チアジアゾール、２，５−ビス（Ｎ，Ｎ−ジエチルジチオカルバミル）−１，３，４−チアジアゾールが好ましい。
【００６４】
アゾール化合物の中でも、具体的にはベンゾトリアゾールの誘導体が好ましく、さらにベンゾトリアゾールが最も好ましい。
【００６５】
本実施形態において、上記アゾール化合物は１種を単独で用いてもよく、２種以上を組み合わせて用いてもよい。また、アゾ−ル化合物の含有量は、組成物全量基準で、０．１質量％以上、好ましくは１質量％以上、最も好ましくは３質量％以上である。また、当該含有量は、５０質量％以下、好ましくは４５質量％以下、最も好ましくは４０質量％以下である。
【００６６】
基油としてアルコールおよび／またはエステルを組成物全量基準で３０質量％未満含有する場合、アゾール化合物の配合量の上限は、組成物全量基準で１０質量％であり、好ましくは８質量％、最も好ましくは５質量％である。
【００６７】
基油としてアルコールおよび／またはエステルを組成物全量基準で３０質量％以上含有する場合は、アゾール化合物の配合量の下限は、組成物全量基準で１０質量％であり、好ましくは１３質量％、最も好ましくは１５質量％である。
アゾール化合物の添加量が少ないと十分な洗浄効果が得られず、多すぎても添加量に見合った効果が得られないばかりか、金属粉が粗大化しすぎフィルター詰まりや再付着による汚れの原因となる場合がある。
【００６８】
本実施形態に係る洗浄油組成物に配合され得るその他の添加剤として、脂肪酸などの油性剤；硫化鉱油、硫化エステルなどの硫黄系極圧剤；フェノール系酸化防止剤、アミン系酸化防止剤などの酸化防止剤；分散剤，腐食防止剤，消泡剤、界面活性剤などの各種公知の添加剤などを適宜配合することができる。これらのその他の添加剤の全配合量は、組成物全量基準で、通常０．０１〜１５重量％の範囲である。
【００６９】
本実施形態に係る洗浄油組成物を用いて洗浄を行う場合、本実施形態に係る洗浄油組成物そのもので洗浄しても良いし、本実施形態に係る洗浄油組成物を他の基油や潤滑油あるいは油剤で希釈して使用することもできる。特に、使用中の機械の洗浄に用いる場合は、その機械に使用されている潤滑油や油剤で希釈することが望ましい。その際、使用する洗浄油組成物の配合量は、機械に使用されている潤滑油や油剤の全量基準で０．０１質量％以上が好ましく、０．０５質量％以上がより好ましく、０．１質量％以上が最も好ましい。また、１０質量％以下が好ましく、５質量％以下がより好ましく、１質量％以下が最も好ましい。
【００７０】
「動粘度」とは、ＪＩＳ  Ｋ２２８３に準拠して測定される動粘度を意味する。
「芳香族分」とは、石油学会法ＪＰＩ−５Ｓ−４９−「炭化水素タイプ試験方法−高速液体クロマトグラフ法」に準拠して測定されるもので、（社団法人石油学会発行）に準拠して測定される芳香族分含有量の容量百分率（容量％）を意味する。
「ナフテン分」とは、ＡＳＴＭ Ｄ２７８６「Standard Test Methodfor Hydrocarbon Types Analysis of Gas-Oil Saturates Fractions by High IonizingVoltage Mass Spectrometry」に準拠して測定されるナフテン分の容量百分率（容量％）を意味する。
【実施例】
【００７１】
以下、実施例および比較例に基づき本発明を更に具体的に説明するが、本発明は以下の実施例に何ら限定されるものではない。
【００７２】
［実施例１〜６０、比較例１〜５］
実施例１〜６０および比較例１〜５においては、それぞれ以下に示す基油および添加剤を用いて、表１〜７に示す組成を有する洗浄油組成物としての試料油を調製した。
試料油の調製は、いずれも各添加剤を基油に配合した後、８０℃にて１時間緩やかに攪拌し、その後、調製した試料油に沈殿や濁りなどが生じた場合には強攪拌し均一とした後に評価に供した。
［基油］
Ａ１：鉱油（４０℃における動粘度０．５ｍｍ２／ｓ  芳香族分０．４容量％  ナフテン分４９容量％）
Ａ２：鉱油（４０℃における動粘度０．９ｍｍ２／ｓ  芳香族分０．８容量％  ナフテン分５１容量％）
Ａ３：鉱油（４０℃における動粘度２．８ｍｍ２／ｓ  芳香族分０．４容量％  ナフテン分４５容量％）
Ａ４：鉱油（４０℃における動粘度２．６ｍｍ２／ｓ  芳香族分４．４容量％  ナフテン分２１容量％）
Ａ５：鉱油（４０℃における動粘度２．７ｍｍ２／ｓ  芳香族分４．１容量％  ナフテン分５５容量％）
Ａ６：鉱油（４０℃における動粘度２．６ｍｍ２／ｓ  芳香族分０．１容量％  ナフテン分１９容量％）
Ａ７：鉱油（４０℃における動粘度５．５ｍｍ２／ｓ  芳香族分０．３容量％  ナフテン分４８容量％）
Ａ８：鉱油（４０℃における動粘度２８ｍｍ２／ｓ）
Ａ９：鉱油（４０℃における動粘度４６ｍｍ２／ｓ）
Ａ１０：鉱油（４０℃における動粘度５４ｍｍ２／ｓ）
Ａ１１：イソパラフィン（４０℃における動粘度２３ｍｍ２／ｓ）
Ａ１２：ポリαオレフィン（４０℃における動粘度１７ｍｍ２／ｓ）
Ａ１３：オレイルアルコール
Ａ１４：分岐状の炭素数１２〜１５の脂肪族アルコールの混合物
Ａ１５：ラウリルアルコール
Ａ１６：ラウリン酸メチル
Ａ１７：ステアリン酸ブチル
Ａ１８：トリクレジルホスフェート
Ａ１９：ジラウリルハイドロジェンホスファイト
Ａ２０：ジラウリルハイドロジェンホスファイトのジヘキシルアミン塩
[アゾール化合物]
Ｂ１：ベンゾトリアゾール
Ｂ２：アルキルベンゾトリアゾール（一般式（４）で表され、Ｒ７がメチル基、ａが１である化合物）
Ｂ３：Ｎ−アルキルベンゾトリアゾール（一般式（５）で表され、Ｒ８がメチル基、Ｒ９がエチル基、ｂが１である化合物）
Ｂ４：Ｎ−（アルキル）アミノアルキルベンゾトリアゾール（一般式（６）で表され、Ｒ１０がメチル基、Ｒ１１がメチレン基、Ｒ１２がエチル基、Ｒ１３がエチル基、ｃが１である化合物）
Ｂ５：ベンゾイミダゾール
Ｂ６：アルキルベンゾイミダゾール（一般式（８）で表され、Ｒ１４がエチル基、ｄが２である化合物）
Ｂ７：２−（アルキルチオ）−ベンゾイミダゾール（一般式（９）で表され、Ｒ１５がエチル基、Ｒ１６がドデシル基、ｅが１、ｆが２である化合物）
Ｂ８：ベンゾピラゾール
Ｂ９：アルキルベンゾピラゾール（一般式（１１）で表され、Ｒ１７がメチル基、ｇが２である化合物）
Ｂ１０：２−（アルキルチオ）−ベンゾチアゾール（一般式（１２）で表され、Ｒ１８がメチル基、Ｒ１９がドデシル基、ｈが１、ｉが２である化合物）
Ｂ１１：２−（Ｎ，Ｎ−ジアルキルジチオカルバミル）−ベンゾチアゾール（一般式（１３）で表され、Ｒ２０がエチル基、Ｒ２１がエチル基、Ｒ２２がエチル基、ｊが１である化合物）
Ｂ１２：２−（アルキルチオ）−ベンゾオキサゾール（一般式（１４）で表され、Ｒ２３がエチル基、Ｒ２４がデシル基、ｋが１、ｍが１である化合物）
Ｂ１３：２，５−ビス（アルキルジチオ）−１，３，４−チアジアゾール（一般式（１５）で表され、Ｒ２５がドデシル基、ｎが２である化合物）
Ｂ１４：２，５−ビス（Ｎ，Ｎ−ジアルキルシチオカルバミル）−１，３，４−チアジアゾール（一般式（１６）で表され、Ｒ２６がエチル基、Ｒ２７がエチル基である化合物）
[その他の添加剤]
Ｄ１：オレイン酸
Ｄ２：硫化エステル（硫化油脂）（硫黄含有量２４質量％）
Ｄ３：２，６−ジターシャリーブチル−ｐ−クレゾール（ＤＢＰＣ）
【００７３】
次に、実施例１〜６０および比較例１〜５の洗浄油組成物について以下の評価試験を実施した。
【００７４】
（洗浄性試験１）
この試験は、稼動前の機械の洗浄を想定した評価方法である。
鋼材の穴あけ加工を主に行っている工作機械内から採集した金属粉（平均粒子径：３．６μｍ、Ｆｅ９８％以上）と、ＪＩＳ  Ｋ２２４１「切削油」でＡ１種に分類される汎用水溶性切削油原液とを１：１の質量比で混合したものに、６０ｍｍ（幅）×８０ｍｍ（高）×１ｍｍ（厚）のＳＰＣＣ鋼板を５分間浸漬し引き上げた後、評価面を上にして水平に保ち、８０℃にて２４時間乾燥させ試験片とした。
次に、作成した試験片を４０℃に調整した試料油にて洗浄性試験を行った。洗浄はＪＩＳ Ｋ２２４６「さび止め油」の指紋除去性試験方法で用いられる往復動装置を用いて６０秒間行った。
洗浄後、試験片を取り出して、金属粉の付着状態を目視で観察することで洗浄性能を評価した。評価法はＪＩＳ Ｋ２２４６「さび止め油」に規定する「さび発生度測定方法」に準拠し、試験片表面を１００マスに分割し、以下の基準で評価した。得られた結果を表１〜７に示す。評価は３回実施し３回の結果を併記した。
Ａ：金属粉残存面積率０％
Ｂ：金属粉残存面積率１〜１０％
Ｃ：金属粉残存面積率１１〜２５％
Ｄ：金属粉残存面積率２６％以上
【００７５】
（洗浄性試験２）
この試験は、稼動後の機械の洗浄を想定した評価方法である。
アルミニウムの冷間圧延機に備わっているフィルター部からアルミニウム摩耗粉（平均粒径：０．１６μｍ、ＡＬ９４％以上）を採集した。この摩耗粉をアルミニウム濃度が約１００ｐｐｍとなるよう灯油に分散させた。この分散液に対して試料油を０．５質量％添加し、６０秒間激しく攪拌した後、室温にて２４時間静置した。その後１μｍ径のフィルターにて減圧濾過し、濾液中のアルミニウム濃度（ｐｐｍ）を測定した。得られた結果を表１〜７に示す。
【００７６】
（洗浄性試験３）
この試験は、稼動後の機械の洗浄を想定した評価方法である。
純銅系の材料を打ち抜き、および絞り加工している加工機の油剤を採集した。大きな金属粉やごみを除去するために、あらかじめ５μｍ径のフィルターにてろ過を実施した。それによって得られた油剤中の銅濃度は６８ｐｐｍであった。なお、粒径は測定の下限を下回ったため測定不能であり、銅粉は粒径を有さず油中に溶解しているような状態であるものと推測できる。
この油剤に試料油を１質量％添加し、６０秒間激しく攪拌した後、室温にて２４時間静置した。静置後、１μｍ径のフィルターにて減圧濾過し、濾液中の銅濃度（ｐｐｍ）を測定した。得られた結果を表１〜７に示す。
【００７７】
【表１】
2014047330.tif 000018
【００７８】
【表２】
2014047330.tif 000019
【００７９】
【表３】
2014047330.tif 000020
【００８０】
【表４】
2014047330.tif 000021
【００８１】
【表５】
2014047330.tif 000022
【００８２】
【表６】
2014047330.tif 000023
【００８３】
【表７】
2014047330.tif 000024